(57)【要約】【課題】  蓋体の上面側からの上下方向の操作によってロックの解除をおこなうことのできる簡単な構成のロック装置を提供する。【解決手段】  先端部が上方向に回動して本体部２に形成された開口部３を開口させる蓋体４が設けられ、その蓋体４が前記開口部３を閉じている状態で前記先端部から水平方向に突出して、前記本体部２に形成された係止部１６に係合する係止片１０が、前記蓋体４の前記先端部に設けられたロック装置９であって、前記蓋体４の上面側に上下方向に出没する開閉ノブ１７が設けられるとともに、その開閉ノブ１７の押し下げ動作によって前記係止片１０を前記係止部１６から離脱させるように後退移動させる変換機構１５，１９が設けられ、前記蓋体４の上面側で前記開閉ノブ１７とは離れた位置に、その蓋体４の上面に対して上下方向に押圧操作することにより切り替え動作するスイッチが設けられている。【選択図】  図１
2006177040.tif 000002
【特許請求の範囲】
【請求項１】
先端部が上方向に回動して本体部に形成された開口部を開口させる蓋体が設けられ、その蓋体が前記開口部を閉じている状態で前記先端部から蓋体の前方に突出して、前記本体部に形成された係止部に係合する係止片が、前記蓋体の前記先端部に設けられたロック装置であって、
前記蓋体の上面側に上下方向に出没する開閉ノブが設けられるとともに、その開閉ノブの押し下げ動作によって前記係止片を前記係止部から離脱させるように後退移動させる変換機構が設けられ、さらに前記蓋体の上面側で前記開閉ノブとは離れた位置に、その蓋体の上面に対して上下方向に押圧操作することにより切り替え動作するスイッチが設けられていることを特徴とするロック装置。
【請求項２】
前記変換機構が、前記開閉ノブの下端部側と前記係止片の後端部側とのいずれか一方に形成された傾斜面と、いずれか他方に形成されかつ前記傾斜面に沿って移動する追従部とからなることを特徴とする請求項１に記載のロック装置。
【請求項３】
前記蓋体が、前記先端部を上方向に回動させるように弾性的に付勢されていることを特徴とする請求項１または２に記載のロック装置。
【発明の詳細な説明】
【技術分野】
【０００１】
この発明は、収容箇所の開口部を開閉する蓋体を開閉操作するためのロック装置に関するものである。
【背景技術】
【０００２】
例えば車両の室内には、居住性の向上などのための各種の収容部が設けられている。センターコンソールに設けられたコンソールボックスやセンタークラスタに設けられたカップホルダー、ダッシュボートに設けられたグローブボックスなどの物入れがその例である。これらの収容部に設けられている蓋体は、車両の走行に伴う振動によって開いてはならず、これに反して、開閉操作を運転者がおこなう場合が多いことに加えて、着座している際に取り得る姿勢が制限されやすいので、開閉操作が可及的に簡単であることが要求される。
【０００３】
従来、このような収容部の蓋体を閉じた状態に係止するロック装置として、蓋体側からボックスの本体側に突出する係止片を直接操作するように構成した装置が用いられている。具体的に説明すると、回動することによって開閉動作する蓋体の回動中心とは反対側の先端部に、その先端側に突出・退入する係止片（すなわち前記回動中心に対する半径方向で外側に突出・退入する係止片）を設けるとともに、その係止片と一体の操作部を、蓋体の先端部に突出させて設け、さらにボックスの本体部分には、前記係止片が係合する嵌合孔や溝などの凹部を設けている。したがって、その操作部を指で押せば、これと一体の係止片が、本体側の凹部から抜けるように後退するので、ロックが外れ、蓋体が回動動作して、ボックスの開口部を開くことができる。
【０００４】
このような構成のロック装置においては、係止片を直接操作することになるので、ロック・アンロックの操作を確実におこなうことができ、また操作部の突出状態によってロック・アンロックの状態を容易に知ることができる。しかしながら、その操作部の操作方向が水平方向に近い位置になるため、その収容部の位置によっては、開閉操作がおこないにくくなり、特に肩より低い位置にボックスがある場合には、操作しにくくなる。
【０００５】
これに対して特許文献１に記載された装置は、閉じた位置にある蓋体の上面を押して蓋体を押し下げると、その蓋体に設けられたキャッチャーが、ハウジング側に設けられたストライカーから外れ、その結果、蓋体がばね部材の弾性力で開くように構成されている。すなわち、いわゆるプッシュ・プッシュスイッチ機構を蓋体とハウジングとの間に設けた構成となっている。
【特許文献１】特開平９−２０１７７号公報
【発明の開示】
【発明が解決しようとする課題】
【０００６】
上述した特許文献１に記載された装置では、蓋体の上面を押すことにより、蓋体を開閉動作させることができるので、前述した係止片を直接操作する構成のロック装置と比較して、操作性が良好である。しかしながら、いわゆるプッシュ・プッシュスイッチ機構もしくはこれに類似する機構は、押圧操作されるごとに、所定の動作片が、ロック位置とアンロック位置とに切り替わるように構成されているので、その構成が複雑になるとともに必ずしも安価ではなく、簡易な収容部における蓋体のロック装置としては採用しにくい問題がある。
【０００７】
また、上記の特許文献１に記載された装置では、閉じている蓋体の上面を押した場合、押圧力がある程度大きければ、蓋体が回動してしまう。そのため、例えば蓋体の上面に所定の電気機器を操作するためのタッチスイッチやプッシュスイッチを設けた場合、そのスイッチの操作に伴って蓋体が開いてしまうなどの不都合がある。
【０００８】
この発明は上記の技術的課題に着目してなされたものであって、蓋体の上面側からの操作によって係止片を直接動作させることのできる操作性の良好なロック装置を提供することを目的とするものである。
【課題を解決するための手段】
【０００９】
上記の目的を達成するために、請求項１の発明は、先端部が上方向に回動して本体部に形成された開口部を開口させる蓋体が設けられ、その蓋体が前記開口部を閉じている状態で前記先端部から蓋体の前方に突出して、前記本体部に形成された係止部に係合する係止片が、前記蓋体の前記先端部に設けられたロック装置であって、前記蓋体の上面側に上下方向に出没する開閉ノブが設けられるとともに、その開閉ノブの押し下げ動作によって前記係止片を前記係止部から離脱させるように後退移動させる変換機構が設けられ、さらに前記蓋体の上面側で前記開閉ノブとは離れた位置に、その蓋体の上面に対して上下方向に押圧操作することにより切り替え動作するスイッチが設けられていることを特徴とする装置である。
【００１０】
また、請求項２の発明は、請求項１の発明における前記変換機構が、前記開閉ノブの下端部側と前記係止片の後端部側とのいずれか一方に形成された傾斜面と、いずれか他方に形成されかつ前記傾斜面に沿って移動する追従部とからなることを特徴とするロック装置である。
【００１１】
さらに、請求項３の発明は、請求項１または２に記載された発明における前記蓋体が、前記先端部を上方向に回動させるように弾性的に付勢されていることを特徴とするロック装置である。
【発明の効果】
【００１２】
請求項１の発明によれば、蓋体の上面側に開閉ノブが突出して設けられており、この開閉ノブを蓋体側に押し込むと、その開閉ノブの押し下げ動作が変換機構によって横方向（開閉ノブを押し下げる上下方向に対して垂直な方向）に変換され、その結果、係止片が横方向に移動（後退移動）させられ、本体部に設けられている係止部から離脱する。すなわち、ロックが外れ、蓋体が開かれる。そのため、蓋体を開くための操作の方向が、蓋体の上面に対してほぼ垂直な方向あるいは上下方向となり、しかも開閉ノブと係止片とが変換機構を介して実質的に一体となっているので、操作性の良好なロック装置を得ることができる。また、その蓋体の上面に設けられたスイッチを押圧することによりそのスイッチが切り替え動作するが、開閉ノブとスイッチとの操作方向が同一であっても、それらが互いに離れているので、スイッチ操作によって蓋体が開いてしまうなどの事態を未然に回避することができる。
【００１３】
また、請求項２の発明によれば、開閉ノブと係止片とが、カム機構に類似した機能となる傾斜面とその傾斜面に沿って移動する追従部とによって連結された構成となるので、上記の請求項１で得られる作用・効果に加えて、装置の全体としての構成を簡素化することができる。
【００１４】
さらに、請求項３の発明によれば、開閉ノブを押し下げて係止片を係止部から外すと、すなわち蓋体の本体部に対するロックを外すと、蓋体が弾性力によって開き、したがって蓋体を開くための操作が、更に容易になる。
【発明を実施するための最良の形態】
【００１５】
以下、本発明を実施した最良の形態について説明する。図３は、この発明を適用したカップホルダーなどの収容ボックス１を概略的に示しており、そのボックス１のいわゆる本体部２は、上部に開口部３を備え、その開口部３を開閉する蓋体４が、その先端部（図３の右側端部）を持ち上げるように回動するように設けられている。
【００１６】
すなわち、その蓋体４はいわゆる跳ね上げ式のものであって、その一端側に設けられた回動軸５を介して本体部２に連結されており、さらにその回動軸５側にバネ６が設けられている。そして、そのバネ６の弾性力によって、蓋体４に対して図３の反時計方向のトルクを付勢してあり、前記蓋体４の前記回動軸５とは反対側の端部を本体部２に係止するロックを外すことにより、そのバネ６の弾性力によって蓋体４が開動作するようになっている。
【００１７】
さらに、前記蓋体４の上面に、その上面に対して上下方向に押圧操作することにより切り替わるスイッチ７が設けられている。そのスイッチ７の設けられている位置は、一例として蓋体４の上面中央部である。
【００１８】
この発明に係るロック装置９が、蓋体４の先端部と本体部２とに設けられている。その具体的な構造を図１および図２に示してある。前記蓋体４の前記スイッチ７から離れた先端部には、先端方向（閉じた状態での水平方向もしくは蓋体４の前方）に前後動する係止片１０が設けられている。これは、蓋体４の先端部に形成された適宜の保持孔（図示せず）に収容されており、図１および図２に示す例では、この係止片１０は、断面がＬ字形状をなすように構成されている。この係止片１０の先端部１１が、蓋体４の先端部から前方に突出しており、これに対して係止片１０の後端側には、係止片１０を前方側に押圧するコイルバネ１２が配置されている。すなわち、このコイルバネ１２は係止片１０の後端面に当接するとともに、蓋体４の内部に形成された受け面１３に当接し、これらの面に間に圧縮状態で配置され、その結果、係止片１０を図１および図２の右方向である前方側に弾性的に押圧している。
【００１９】
さらに、係止片１０の中間部には、上下に貫通した矩形断面の貫通孔１４が形成され、その貫通孔１４の内壁面のうち前記先端部１１に対して反対側の後端側の内壁面が、下側が先端部１１方向に近づく傾斜面１５となっている。なお、Ｌ字形状をなす係止片１０の垂直面に、傾斜面１５の上端部が連続している。
【００２０】
これに対して、係止片１０の先端部１１を挿入する係止部である係合孔１６が、本体部２の先端側上部にほぼ水平方向（閉じた状態の蓋体４における前記係止片１０の突出方向）に向けて形成されている。したがって、係止片１０の先端部１１をこの係合孔１６に挿入するとにより、蓋体４の先端部が上方向に回動することが阻止され、蓋体４が閉じた状態にロックされ、また係止片１０を前記コイルバネ１２の弾性力に抗して後退移動させ、これにより係止片１０の先端部１１を係合孔１６から抜くことにより、本体部２に対する係止が解かれ、蓋体４を回動させて本体部２の開口部３を開くようになっている。
【００２１】
このようなロック解除の操作をおこなうための開閉ノブ１７が、蓋体４の上面に突出した状態で蓋体４に取り付けられている。この開閉ノブ１７は、上端部を半球状とした短い軸状の部材であって、前述した係止片１０に形成されている貫通孔１４に対応させて蓋体４の先端部に上下方向に向けて形成された保持孔１８に、前記半球状の上端部を蓋体４の上面側に突出させた状態で上下動自在に収容され、かつ保持されている。
【００２２】
また、この開閉ノブ１７の下端部には、前記傾斜面１５に対向する形状の傾斜面１９が形成され、これらの各傾斜面１５，１９が互いに面接触している。これらの傾斜面１５，１９の角度、すなわち係止片１０が前後動する水平方向に対する傾斜角度は、一例として４５度程度であり、これらの傾斜面１５，１９が互いに摺動する滑らかな面として形成されていることにより、開閉ノブ１７の上下動を係止片１０の水平方向への前後動に変換するようになっている。すなわち、これらの傾斜面１５，１９がこの発明における変換機構を構成しており、したがっていずれか一方の傾斜面１５，１９が、この発明の追従部に相当している。
【００２３】
なお、開閉ノブ１７の中間部でかつ先端側の側面に突起２０が形成され、その突起２０を蓋体４の所定箇所に係合させることにより、開閉ノブ１７の蓋体４の上面側に対する抜け止めをおこなうようになっている。また、係止片１０はコイルバネ１２によって常時先端側に押圧されて突出しているので、蓋体４を閉じる場合に本体部２の上端エッジに干渉することがあり、そのために係止片１０の先端部１１の下面は、先端側が上向きとなる傾斜面２１となっており、ここに作用する上向きの荷重によって係止片１０を後退移動させるようになっている。
【００２４】
つぎに上述した構成のロック装置の作用について説明する。図１は、蓋体４を閉じてロックしている状態であって、係止片１０はその先端部１１を本体部２側の係合孔１６に差し込んだ位置まで、前記コイルバネ１２によって押圧されて前進している。また、開閉ノブ１７は上下方向にのみ移動可能であるから、貫通孔１４の内壁面として形成されている傾斜面１５によって開閉ノブ１７が押し上げられ、半球状の上端部を蓋体４の上面側に大きく突出させた上端位置まで上昇している。
【００２５】
この状態から開閉ノブ１７の上端部を押して開閉ノブ１７の蓋体４側に押し下げると、その下端部に形成されている傾斜面１９が、係止片１０に形成されている傾斜面１５を押すとともにこれらの傾斜面１５，１９が相互に摺動するので、開閉ノブ１７の押し下げ力が水平方向の分力を生じ、係止片１０が図１および図２の左方向に押される。その状態を図２に示してあり、開閉ノブ１７を蓋体４側にほぼ完全に押し込んだ状態で、係止片１０が後退端まで移動する。その状態では、係止片１０の先端部１１が、本体部２側の係合孔１６から完全に抜け出しており、蓋体４の先端部１１と本体部２との係止が解除される。前述したように、蓋体４にはこれを回動動作させる方向の弾性力が作用しているので、上記のようにしていわゆるロックを外すことにより、蓋体４が図３の反時計方向に回動し、開口部３が開かれる。
【００２６】
このように、この発明に係るロック装置では、係止片１０の動作方向が水平方向であっても、蓋体４の上面に対してほぼ垂直な上下方向の操作によって、閉じている蓋体４のロックを外すことができる。そのため、上記の蓋体４を設けた収容ボックス１が低い位置にあるなどの状況であっても、ロックの解除操作すなわち蓋体４を開けるための操作を押し下げという自然な動作によっておこなうことが可能になり、操作性を向上させることができる。また、上記の傾斜面１５，１９もしくはこれに類する機構によってこの発明の変換機構を構成できるので、その構成が簡単であることに加えて、新たに追加する部品が殆どないので、簡易な収容部蓋体にも容易に適用することができる。さらに、開閉ノブ１７の操作方向と蓋体４の開き動作の回動方向が互いに反対になるが、蓋体４に対して開き方向に弾性力を付与しておくことにより、ロックの解除および蓋体４の開放操作を容易におこなうことができる。さらに、開閉ノブ１７とスイッチ７とが、共に、蓋体４の上面に対して上下方向に押圧操作するものであっても、両者が互いに離れて設けられているので、開閉ノブ１７やスイッチ７の誤操作を未然に回避することができる。
【００２７】
なお、上記のようにして開いた蓋体４を閉じる場合、蓋体４を図３の時計方向に押して回動させればよい。その際に蓋体４の先端側にコイルバネ１２の弾性力で係止片１０が突出しているが、その先端部１１における下面側の傾斜面２１が開口部３のエッジに当接し、それに伴う上向きの荷重によって係止片１０が後退移動するので、その先端部１１が係合孔１６の位置まで下がるように蓋体４を押し下げることができる。また、同時に、係止片１０の先端部１１が係合孔１６に一致した際に、係止片１０がコイルバネ１２の弾性力で前進するので、係止片１０の先端部１１が係合孔１６に挿入され、ロック状態となる。
【００２８】
なお、この発明は上記の具体例に限定されないのであって、この発明における変換機構は、要は、傾斜面により発生する分力で力の作用方向を変更する構成であればよく、したがって傾斜面に接する追従部は、傾斜面以外に、ローラなどの他の構成のものであってよい。また、この発明における蓋体は、回動して開口部を開閉するものであればよく、その回動中心は、上記の具体例とは異なり、固定されていてもよい。さらに、上記の具体例では、係止片１０が直線的に前後動することにより、ロックおよびアンロックをおこなうように構成したが、この発明における係止片は、前記開閉ノブ１７の上下方向の押圧操作によって回動して、本体部２の係合孔１６などの所定箇所に対して係合し、またその係合を解除するように構成されていてもよい。
【図面の簡単な説明】
【００２９】
【図１】この発明におけるロック構造の具体例を示す断面図である。
【図２】そのロックを解除した状態を示す断面図である。
【図３】そのロック装置を設けた収容ボックスの一例を模式的に示す側面図である。
【符号の説明】
【００３０】
１…収容ボックス、  ２…本体部、  ３…開口部、  ４…蓋体、  ７…スイッチ、  ９…ロック装置、  １０…係止片、  １１…先端部、  １５，１９…傾斜面、  １６…係合孔、  １７…開閉ノブ。
【図１】
2006177040.tif 000003
【図２】
2006177040.tif 000004
【図３】
2006177040.tif 000005